(57)【要約】【課題】カタログ等に情報が掲載された商品の画像を簡単にディスプレイに表示させることが可能な画像表示方法を提供する。【解決手段】画像表示装置として機能するコンピュータが、商品である衣服の情報が掲載されているカタログのうち、ユーザが見ている部分を、当該カタログにおいてユーザが開いているページ及びユーザの視線又は顔の向きから特定する特定処理と、特定処理にて特定した部分内で情報が提供されている衣服の画像を、画像記憶部から読み出してディスプレイに表示させる画像表示処理と、を実行する。【選択図】図１１
2017174304.tif 000002
【特許請求の範囲】
【請求項１】
商品の情報を提供する商品情報提供物のうち、ユーザが見ている部分を特定する特定部と、
前記商品情報提供物にて情報が提供されている商品の画像を記憶している画像記憶部と、
前記特定部が特定した前記部分内で情報が提供されている商品の画像を、前記画像記憶部から読み出して表示画面に表示させる画像表示部と、を有することを特徴とする画像表示装置。
【請求項２】
前記特定部は、前記商品情報提供物である冊子状のカタログ中、ユーザによって開かれた状態にあるページを特定する第一特定処理と、ユーザの視線又は顔の向きを特定する第二特定処理と、を実行し、前記第一特定処理にて特定した前記ページと、前記第二特定処理にて特定した前記視線又は顔の向きと、に基づいて前記カタログ中の前記部分を特定することを特徴とする請求項１に記載の画像表示装置。
【請求項３】
前記画像記憶部は、ある商品の画像として、異なるバリエーションの前記ある商品の画像を複数記憶しており、
複数の前記ある商品の画像のうちの一つが前記表示画面に表示されている間にユーザの身体の移動動作を検知する検知部と、
該検知部の検知結果に応じて、複数の前記ある商品の画像の中から、前記表示画面に表示される画像を変更する画像変更部と、を有することを特徴とする請求項１又は２に記載の画像表示装置。
【請求項４】
前記画像記憶部は、第一商品の画像と、前記第一商品と組み合わせて用いられる第二商品の画像と、を記憶しており、
前記特定部が特定した前記部分内で情報が提供されている商品が前記第一商品であるとき、前記画像表示部は、前記特定部が特定した前記部分内で情報が提供されている前記第一商品の画像と、前記特定部が特定した前記部分内で情報が提供されている前記第一商品と対応する前記第二商品の画像と、を併せて前記表示画面に表示させることを特徴とする請求項１乃至３のいずれか一項に記載の画像表示装置。
【請求項５】
前記画像表示部は、前記画像記憶部から読み出した商品の画像を、該商品の実物のサイズに相当する表示サイズにて前記表示画面に表示させることを特徴とする請求項１乃至４のいずれか一項に記載の画像表示装置。
【請求項６】
前記特定部は、商品である衣服の情報を提供する前記商品情報提供物のうち、ユーザが見ている前記部分を特定し、
前記画像記憶部は、前記商品情報提供物にて情報が提供されている衣服の画像と、ユーザの人物画像と、を記憶しており、
前記画像表示部は、前記特定部が特定した前記部分内で情報が提供されている衣服の画像を、前記画像記憶部から読み出して前記表示画面に表示させ、
前記表示画面に表示された衣服の画像とユーザの人物画像とを合成することで、前記部分内で情報が提供されている衣服を着用したユーザの画像である試着画像を生成する試着画像生成部を有し、
該試着画像生成部が前記試着画像を生成すると、前記画像表示部が前記試着画像を前記表示画面に表示させることを特徴とする請求項１乃至５のいずれか一項に記載の画像表示装置。
【請求項７】
前記画像記憶部は、第一衣服の画像と、前記第一衣服と組み合わせて用いられる第二衣服の画像と、を記憶しており、
前記試着画像生成部は、前記表示画面に表示された前記第一衣服の画像と、前記表示画面に表示された前記第一衣服と対応する前記第二衣服の画像と、ユーザの人物画像とを合成することで前記試着画像を生成することを特徴とする請求項６に記載の画像表示装置。
【請求項８】
前記表示画面に画像が表示された商品に対してポイントを付与するポイント付与部と、
前記商品情報提供物にて情報が提供されている商品毎に、前記ポイント付与部により付与されたポイントを記憶しているポイント記憶部と、を有することを特徴とする請求項１乃至７のいずれか一項に記載の画像表示装置。
【請求項９】
コンピュータが、
商品の情報を提供する商品情報提供物のうち、ユーザが見ている部分を特定する特定処理と、
該特定処理にて特定した前記部分内で情報が提供されている商品の画像を、画像記憶部から読み出して表示画面に表示させる画像表示処理と、を実行することを特徴とする画像表示方法。
【発明の詳細な説明】
【技術分野】
【０００１】
本発明は、画像表示装置及び画像表示方法に係り、特に、商品の画像を容易に表示することが可能な画像表示装置及び画像表示方法に関する。
【背景技術】
【０００２】
商品を購入しようとする者（購入予定者）は、通常、購入に際して当該商品の情報が掲載されたカタログ等を確認する。また、カタログとしては、一般的な紙冊子からなるものの他、商品の画像（画像データにより描画される画像）をディスプレイに表示させるものが知られている。このように商品の画像をディスプレイに表示させるカタログの一例としては、特許文献１に記載のカタログが挙げられる。
【０００３】
特許文献１に記載のカタログでは、ユーザが指定した商品に対して人物画像や背景画像を合成し、その合成画像をＰＣ等のディスプレイに表示する。これにより、商品が実際に使用されている状況を視覚的に提示して当該商品に対する理解をより深めることが可能となる。
【先行技術文献】
【特許文献】
【０００４】
【特許文献１】特開２００８−２５７５６０号公報
【発明の概要】
【発明が解決しようとする課題】
【０００５】
しかしながら、特許文献１に記載のカタログを利用する場合、その利用者は、表示候補となる商品の画像を、データベースに記憶されている画像の中から選び出す必要がある。その際に複雑な操作が要求されると、所望の画像を表示画面に表示させるのに手間が掛かる虞がある。
【０００６】
そこで、本発明は、上記の課題に鑑みてなされたものであり、その目的とするところは、カタログ等に情報が掲載された商品の画像を簡単に表示することが可能な画像表示装置及び画像表示方法を提供することである。
【課題を解決するための手段】
【０００７】
前記課題は、本発明の画像表示装置によれば、（Ａ）商品の情報を提供する商品情報提供物のうち、ユーザが見ている部分を特定する特定部と、（Ｂ）前記商品情報提供物にて情報が提供されている商品の画像を記憶している画像記憶部と、（Ｃ）前記特定部が特定した前記部分内で情報が提供されている商品の画像を、前記画像記憶部から読み出して表示画面に表示させる画像表示部と、を有することにより解決される。
【０００８】
以上のように構成された本発明の画像表示装置では、商品の情報を提供する商品情報提供物のうち、ユーザが見ている部分を特定し、その部分内で情報が提供されている商品の画像を画像記憶部から読み出して表示画面に表示させる。このような構成であれば、ユーザは、商品情報提供物にて情報を見ている商品の画像を表示させる上で特段の操作を行う必要がない。この結果、ユーザが商品情報提供物にて情報を見ている商品の画像を、より簡単に表示することが可能となる。
【０００９】
また、上記の画像表示装置に関して好適な構成を述べると、前記特定部は、前記商品情報提供物である冊子状のカタログ中、ユーザによって開かれた状態にあるページを特定する第一特定処理と、ユーザの視線又は顔の向きを特定する第二特定処理と、を実行し、前記第一特定処理にて特定した前記ページと、前記第二特定処理にて特定した前記視線又は顔の向きと、に基づいて前記カタログ中の前記部分を特定するとよい。
上記の構成では、ユーザによって開かれた状態にあるページと、ユーザの視線又は顔の向きと、に基づいてカタログ中のユーザが見ている部分を特定する。これにより、カタログ中のユーザが見ている部分を的確に特定することが可能となる。
【００１０】
また、上記の画像表示装置に関してより好適な構成を述べると、前記画像記憶部は、ある商品の画像として、異なるバリエーションの前記ある商品の画像を複数記憶しており、複数の前記ある商品の画像のうちの一つが前記表示画面に表示されている間にユーザの身体の移動動作を検知する検知部と、該検知部の検知結果に応じて、複数の前記ある商品の画像の中から、前記表示画面に表示される画像を変更する画像変更部と、を有するとよい。
上記の構成では、ユーザが商品情報提供物にて情報を見ている商品の画像について複数のバリエーションがある場合に、ユーザの身体の移動動作に伴って、表示画面に表示される画像が上記バリエーションの中で変化するようになる。このような構成であれば、複数のバリエーションがある商品の画像について、各バリエーションの画像を容易に確認することが可能となる。
【００１１】
また、上記の画像表示装置に関して更に好適な構成を述べると、前記画像記憶部は、第一商品の画像と、前記第一商品と組み合わせて用いられる第二商品の画像と、を記憶しており、前記特定部が特定した前記部分内で情報が提供されている商品が前記第一商品であるとき、前記画像表示部は、前記特定部が特定した前記部分内で情報が提供されている前記第一商品の画像と、前記特定部が特定した前記部分内で情報が提供されている前記第一商品と対応する前記第二商品の画像と、を併せて前記表示画面に表示させるとよい。
上記の構成では、ユーザが商品情報提供物にて情報を見ている商品（第一商品）の画像のみならず、当該商品と対応する商品（第二商品）の画像を併せて表示する。このように第一商品の画像と共に、当該第一商品と組み合わせて用いられる第二商品の画像が表示されれば、両商品の組み合わせを確認することが可能となり、ユーザにとって利便性が向上する。
【００１２】
また、上記の画像表示装置に関して一層好適な構成を述べると、前記画像表示部は、前記画像記憶部から読み出した商品の画像を、該商品の実物のサイズに相当する表示サイズにて前記表示画面に表示させるとよい。
上記の構成では、ユーザが商品情報提供物にて情報を見ている商品の画像が、実物大の表示サイズにて表示される。これにより、実際の商品の大きさを把握し易くなり、商品に対する理解度が高まる。
【００１３】
また、上記の画像表示装置に関して殊更好適な構成を述べると、前記特定部は、商品である衣服の情報を提供する前記商品情報提供物のうち、ユーザが見ている前記部分を特定し、前記画像記憶部は、前記商品情報提供物にて情報が提供されている衣服の画像と、ユーザの人物画像と、を記憶しており、前記画像表示部は、前記特定部が特定した前記部分内で情報が提供されている衣服の画像を、前記画像記憶部から読み出して前記表示画面に表示させ、前記表示画面に表示された衣服の画像とユーザの人物画像とを合成することで、前記部分内で情報が提供されている衣服を着用したユーザの画像である試着画像を生成する試着画像生成部を有し、該試着画像生成部が前記試着画像を生成すると、前記画像表示部が前記試着画像を前記表示画面に表示させるとよい。
上記の構成では、表示画面に表示された衣服の画像と、ユーザの人物画像とを合成して試着画像を生成する。この試着画像が表示画面に表示させることにより、ユーザは、商品情報提供物にて情報を見ている衣服を着用したイメージを確認することができる。この結果、商品である衣服に対する理解度が一段と高まる。
【００１４】
また、上記の画像表示装置に関して益々好適な構成を述べると、前記画像記憶部は、第一衣服の画像と、前記第一衣服と組み合わせて用いられる第二衣服の画像と、を記憶しており、前記試着画像生成部は、前記表示画面に表示された前記第一衣服の画像と、前記表示画面に表示された前記第一衣服と対応する前記第二衣服の画像と、ユーザの人物画像とを合成することで前記試着画像を生成するとよい。
上記の構成では、表示画面に表示された衣服（第一衣服）の画像と、当該衣服と対応する衣服（第二衣服）の画像と、ユーザの人物画像とを合成して生成された試着画像が表示画面に表示される。これにより、ユーザは、第一衣服及び第二衣服の双方を着用したイメージを確認することができる。この結果、商品である衣服（第一衣服）に対する理解度が尚一層高まる。
【００１５】
また、上記の画像表示装置に関して一段と好適な構成を述べると、前記表示画面に画像が表示された商品に対してポイントを付与するポイント付与部と、前記商品情報提供物にて情報が提供されている商品毎に、前記ポイント付与部により付与されたポイントを記憶しているポイント記憶部と、を有する。
上記の構成では、表示画面に画像が表示された商品にポイントが付与され、商品情報提供物にて情報が提供されている商品毎にポイントが管理（記憶）されている。かかる構成であれば、ユーザは、各商品のポイントを確認することにより、当該各商品に対する自己の関心度を把握することが可能となる。また、例えば、ポイントの高い商品の画像を提示する等すれば、ユーザの関心度が高い商品をユーザ本人に気付かせることが可能となる。
【００１６】
また、前述の課題は、本発明の画像表示方法によれば、コンピュータが、商品の情報を提供する商品情報提供物のうち、ユーザが見ている部分を特定する特定処理と、該特定処理にて特定した前記部分内で情報が提供されている商品の画像を、画像記憶部から読み出して表示画面に表示させる画像表示処理と、を実行することにより解決される。
上記の方法であれば、ユーザが商品情報提供物にて情報を見ている商品の画像を、より簡単に表示することが可能となる。
【発明の効果】
【００１７】
本発明によれば、ユーザが商品情報提供物にて情報を見ている商品の画像を、より簡単に表示することが可能となる。かかる効果は、特に、パソコンやスマートフォン等の情報処理端末の操作に慣れていないユーザ、若しくは、そのような操作を厭うユーザにとって有効である。
【図面の簡単な説明】
【００１８】
【図１】本発明の一実施形態に係る画像表示装置が利用されている様子を示す図である。
【図２】画像表示装置の構成を示すブロック図である。
【図３】カタログの一例を示す図である。
【図４】カタログを見ているユーザの視線の向きが切り替わる様子を示す図である。
【図５】カタログの各ページに対応付けられている商品画像についての説明図である。
【図６Ａ】商品画像が表示されている表示画面を示す図である（その１）。
【図６Ｂ】商品画像が表示されている表示画面を示す図である（その２）。
【図７】表示画面を四分割した状態で商品画像を表示する様子を示す図である。
【図８】表示画面に表示される商品画像が切り替わる図である。
【図９】試着画像が表示されている表示画面を示す図である。
【図１０】各商品に付与されたポイントの一覧表を示す図である。
【図１１】画像表示フローの一例を示す図である。
【図１２】試着画像表示処理の流れを示す図である。
【図１３】画像表示フローの変形例を示す図である。
【図１４】背景画像の一例を示す図である。
【図１５】背景画像の他の例を示す図である。
【図１６】図１６の（Ａ）〜（Ｄ）は、ユーザの身体の移動動作に伴って表示画像が変化する例を示す図である。
【図１７】図１７の（Ａ）〜（Ｃ）は、ユーザの身体の移動動作に伴って表示画像が変化する他の例を示す図である。
【図１８】試着画像の生成に関する応用例を示す図である。
【発明を実施するための形態】
【００１９】
以下、本発明の一実施形態（以下、本実施形態）について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００２０】
＜＜本実施形態の概要＞＞
先ず、本実施形態の概要について図１を参照しながら説明する。図１は、本実施形態に係る画像表示装置が利用されている様子を示す図である。なお、同図には、画像表示装置とその周辺機器によって構成されるシステム（以下、画像表示システムＳ）が図示されている。
【００２１】
本実施形態に係る画像表示装置及び画像表示方法は、商品を購入しようとするユーザ（以下、購入予定者）がネットショッピングにて商品を購入する際に利用される。より具体的に説明すると、購入予定者は、自宅に居ながらインターネットを通じて商品を購入するにあたり、図１に示すようにカタログＣを見る。ここで、カタログＣは、冊子状の紙媒体であり、各ページには商品の情報が掲載されている。すなわち、カタログＣは、購入予定者に対して商品の情報を提供する「商品情報提供物」に相当する。
【００２２】
そして、購入予定者は、カタログＣに情報が掲載された商品のうち、注視したい商品の画像をディスプレイ２にて確認するために、本実施形態に係る画像表示装置及び画像表示方法を用いる。ディスプレイ２は、表示画面を構成する機器であり、縦横ともに十分なサイズ（厳密には、一般成人の全身画像を表示するのに十分なサイズ）を有している。
【００２３】
本実施形態に係る画像表示装置及び画像表示方法によれば、カタログＣ中、購入予定者が見ている部分（以下、注目部分）を特定し、特定した注目部分内で情報が提供されている商品の画像をディスプレイ２に自動的に表示させる。つまり、本実施形態では、商品画像をディスプレイ２に表示させるにあたり、購入予定者が特段の操作を行う必要がなく、比較的簡単に商品画像を表示することが可能となる。
【００２４】
以上の内容が本実施形態（換言すると、本発明）の特徴であり、以下では、かかる特徴点を中心として、本実施形態に係る画像表示装置の構成、機能及び動作例について説明することとする。なお、以下では、商品である衣服を購入しようとする購入予定者が購入対象とする衣服をカタログＣにて選ぶ場面を例に挙げて説明することとする。ただし、商品については、衣服に限定されず、他の品目（例えば、衣服以外の装飾品や家具等）であってもよい。
【００２５】
＜＜本実施形態に係る画像表示装置の構成＞＞
次に、本実施形態に係る画像表示装置の構成について説明する。本実施形態に係る画像表示装置（以下、本装置１）は、コンピュータからなり、図２に示すようにＣＰＵ１ａ、メモリ１ｂ、ハードディスクドライブ１ｃ（図中、ＨＤＤと表記）及びＩ／Ｏポート１ｄを備えている。また、本装置１のハードディスクドライブ１ｃには、コンピュータを本装置１として機能させるためのコンピュータプログラム（以下、画像表示用プログラム）がインストールされている。つまり、この画像表示用プログラムがＣＰＵ１ａによって読み取られて実行されることで、コンピュータは、本装置１が有する各種機能を発揮する。
【００２６】
また、本装置１は、その周辺機器と共に画像表示システムＳを構成する。本装置１の周辺機器について説明すると、図１に示すように、ディスプレイ２と２台のカメラが周辺機器として設けられている。ディスプレイ２は、正面視で縦長矩形状の表示画面を構成しており、前述したように縦横ともに十分なサイズを有している。
【００２７】
２台のカメラのうちの一つは、購入予定者を撮影するためのカメラであり、以下、ユーザ撮影用カメラ３と呼ぶこととする。このユーザ撮影用カメラ３は、その撮影範囲（画角）内に購入予定者の顔が含まれるように設置されており、例えば、図１に示すようにディスプレイ２の直上位置に設置されている。
【００２８】
２台のカメラのうちのもう一つは、購入予定者が見ているカタログＣを撮影するためのカメラであり、以下、カタログ撮影用カメラ４と呼ぶこととする。このカタログ撮影用カメラ４は、購入予定者がカタログＣを見ている間、カタログＣ中、購入予定者によって開かれた状態にあるページを撮影するように設置されている。なお、カタログ撮影用カメラ４は、図１に図示のケースでは、購入予定者が着座する椅子の背凭れ部から上方に延びた支持アームの先端部に固定されている。
【００２９】
本装置１は、ユーザ撮影用カメラ３及びカタログ撮影用カメラ４の各々の撮影映像を受信する。また、本装置１は、ハードディスクドライブ１ｃ内に保存されている画像をディスプレイ２に表示させる。さらに、本装置１は、各種の情報処理、特に画像表示に関する一連の処理を実行する。
【００３０】
次に、本装置１の機能について説明する。本装置１が有する主な機能は、注目部分特定機能、画像記憶機能、画像表示機能、試着画像生成機能、ポイント付与機能及びポイント管理機能である。以下、各機能について詳しく説明する。
【００３１】
（注目部分特定機能）
本装置１は、購入予定者がカタログＣを見ている間、ユーザ撮影用カメラ３及びカタログ撮影用カメラ４の各々から送られている映像に基づいて、カタログＣ中の注目部分を特定する。すなわち、本装置１は、ユーザ撮影用カメラ３及びカタログ撮影用カメラ４と協働して「特定部」を構成している。
【００３２】
本装置１による注目部分の特定処理について説明すると、本装置１は、カタログＣ中、ユーザによって開かれた状態にあるページを特定する第一特定処理を実行する。より具体的に説明すると、第一特定処理では、カタログ撮影用カメラ４から受信した映像を解析し、その映像中に含まれるカタログＣの映像から上記のページを特定する。
【００３３】
なお、以下では、図３に示すようにカタログＣの各ページに衣服の画像情報が一つずつ掲載されているものとする。また、以下では、図３に図示のページが開ページ（開かれた状態にあるページ）として特定された場合を想定して説明することとする。図３は、カタログＣの一例を示す図である。
【００３４】
また、本装置１は、購入予定者がカタログＣを見ている間、購入予定者の視線又は顔の向きを特定する第二特定処理を実行する。より具体的に説明すると、第二特定処理では、ユーザ撮影用カメラ３から受信した映像を解析して購入予定者の頭部及び眼の映像を抽出し、抽出した映像を基に購入予定者の視線又は顔の向きを特定する。なお、以下では、第二特定処理にて購入予定者の視線を特定するものとする。
【００３５】
その後、本装置１は、第一特定処理にて特定した開ページと、第二特定処理にて特定した購入予定者の視線の向きと、に基づいて注目部分を特定する。図３及び図４を参照しながら具体的に説明すると、第二特定処理において特定した購入予定者の視線の向きが、図４中、購入予定者の頭部が実線にて示す位置にあるときの視線の向きであるとする。この場合、本装置１は、図３に図示したカタログＣのうち、右側のページを注目部分として特定する。反対に、第二特定処理において特定した購入予定者の視線の向きが、図４中、購入予定者の頭部が破線にて示す位置にあるときの視線の向きである場合、本装置１は、左側のページを注目部分として特定する。図４は、カタログＣを見ている購入予定者の視線の向きが切り替わる様子を示す図であり、購入予定者の頭部を上方から見たときの図となっている。
【００３６】
以上までに説明した一連の処理が「特定処理」に相当する。そして、カタログＣにおける開ページが変わったり、購入予定者の視線が変わったりすることで注目部分が切り替わると、本装置１は、その度に特定処理を実行し、切り替わり後の注目部分を特定する。
【００３７】
なお、本実施形態では、カタログＣ中の注目部分として、購入予定者が現在見ているページを特定することとしたが、これに限定されるものではなく、購入予定者が現在見ているページの中で購入予定者の視線の先に位置する部分を特定してもよい。
【００３８】
（画像記憶機能）
本装置１のハードディスクドライブ１ｃには、各種画像（厳密には、画像データ）が記憶されている。すなわち、本装置１のハードディスクドライブ１ｃは、「画像記憶部」を構成している。
【００３９】
本装置１のハードディスクドライブ１ｃに記憶されている画像の中には、カタログＣにて情報が提供されている衣服の画像が含まれている。より詳しく説明すると、ハードディスクドライブ１ｃには、カタログＣの各ページに掲載された衣服の画像が記憶されている。なお、カタログＣに掲載されている衣服の中には、複数のサイズが用意されている衣服が存在する。かかる衣服については、各サイズ別の画像がハードディスクドライブ１ｃに記憶されている。
【００４０】
また、ハードディスクドライブ１ｃに記憶されている画像の中には、購入予定者の人物画像（厳密には、全身画像）が記憶されている。ちなみに、ハードディスクドライブ１ｃに記憶されている衣服の画像及び購入予定者の人物画像は、いずれも三次元画像（立体画像）となっている。
【００４１】
（画像表示機能）
本装置１は、購入予定者がカタログＣを見ている間において注目部分を特定すると、当該注目部分内で情報が提供されている衣服の画像を、ハードディスクドライブ１ｃから読み出してディスプレイ２に表示させる。すなわち、本装置１は、「画像表示部」を構成している。
【００４２】
本装置１による画像表示処理について説明すると、本装置１は、特定処理において注目部分（すなわち、カタログＣ中、購入予定者が見ているページ）を特定すると、図５に図示の対応画像テーブルを参照する。図５は、対応画像テーブルを示す図である。対応画像テーブルについて説明すると、当該テーブルは、カタログＣ中の各ページと衣服の画像との対応関係を規定したデータである。図５に示すように、各ページには一つの衣服（分かり易くは、各ページに情報が掲載された衣服）の画像が対応付けられている。例えば、カタログＣの１ページ目には衣服Ａの画像が対応付けられている。
【００４３】
なお、衣服の中には、複数のサイズが用意されているもの（例えば、図５中、衣服Ｂや衣服Ｄ）がある。かかる衣服の情報が掲載されたページには、各サイズ別の画像が対応付けられている。例えば、カタログＣ中、衣服Ｂの情報が掲載されている２ページ目には、Ｓサイズの衣服Ｂの画像と、Ｌサイズの衣服Ｂの画像とが対応付けられている。
【００４４】
本装置１は、対応画像テーブルに基づき、注目部分に相当するページと対応する衣服の画像を特定する。そして、本装置１は、特定した衣服の画像をハードディスクドライブ１ｃから読み出してディスプレイ２に表示させる。この際、本装置１は、図６Ａに示すように、読み出した衣服の画像を当該衣服の実物サイズに相当する表示サイズにて表示させる。これにより、購入予定者がカタログＣにて情報を見ている衣服について、実際の大きさを把握し易くなり、当該衣服に対する理解度が高まる。なお、図６Ａは、購入予定者がカタログＣにて情報を見ている衣服の画像をディスプレイ２に表示しているところを示す図である。
【００４５】
また、前述したように、ハードディスクドライブ１ｃから読み出される衣服の画像は、三次元画像（立体画像）となっている。このため、本装置１は、衣服の画像がディスプレイ２に表示されている間、図６Ａ及び６Ｂに示すように視線方向（ビューアングル）を切り替えて当該衣服の画像を表示することが可能である。図６Ｂは、図６Ａとは異なる視線方向にて衣服の画像を表示しているところを示す図である。
【００４６】
また、本装置１は、図７に示すように、ディスプレイ２の表示画面を複数の小画面（分割画面）に分割し、互いに異なる視線方向から見た衣服の画像を各分割画面に同時に表示させることが可能である。図７は、表示画面を四分割し、各分割画面に異なる視線方向（具体的には前後左右の各方向）から見た衣服の画像を表示しているところを示す図である。なお、表示画面の分割数については、４つに限定されるものではなく、任意の数に設定することが可能である。
【００４７】
また、特定した注目部分に対して複数の衣服の画像が対応付けられている場合（分かり易くは、サイズ別の衣服の画像が対応付けられている場合）、本装置１は、一の画像を選んでディスプレイ２に表示させる。この際、ハードディスクドライブ１ｃに記憶されている購入予定者の人物画像を解析して購入予定者の体形及び体格を特定し、その特定結果に基づき、サイズ別の衣服の画像の中から、購入予定者の体形及び体格に最も適した（フィットする）サイズの衣服の画像を選び出して表示させるとよい。
【００４８】
以上までに説明した一連の処理が「画像表示処理」に相当する。そして、本装置１は、特定処理にて注目部分を特定した場合には画像表示処理を実行する。したがって、注目部分が切り替わると、本装置１は、その度に特定処理を実行し、これに併せて上述の画像表示処理を再実行する。これにより、注目部分が切り替わった際には、図８に示すように、ディスプレイ２に表示される衣服の画像が切り替わるようになる。図８は、ディスプレイ２に表示される衣服の画像が切り替わる様子を示す図であり、図中、左側の図には切り替え前の画像が、右側の図には切り替え後の画像が、それぞれ図示されている。
【００４９】
（試着画像生成機能）
本装置１は、画像表示処理によってディスプレイ２に衣服の画像が表示されている間に、所定のユーザ操作を契機にして試着画像を生成する。試着画像は、ディスプレイ２に表示された衣服の画像（換言すると、カタログＣ中の注目部分内で情報が提供されている衣服の画像）と、購入予定者の人物画像とを合成することで生成される画像である。そして、本装置１は、生成した試着画像をディスプレイ２に表示させる。すなわち、本装置１は、「試着画像生成部」に相当する。
【００５０】
ディスプレイ２に表示された試着画像は、図９に示すように、ディスプレイ２に画像が表示された衣服を着用した購入予定者の姿を示す画像となっている。図９は、試着画像が表示されているディスプレイ２を示す図である。
【００５１】
ちなみに、前述したように、衣服の画像及び購入予定者の人物画像は、いずれも三次元画像となっているため、これらを合成した試着画像についても三次元画像として構築されることになる。これにより、本装置１は、試着画像をディスプレイ２に表示させる際には、衣服の画像を表示させるときと同様、任意の視線方向にて表示することが可能である。
【００５２】
以上までに説明した一連の処理が試着画像表示処理に相当する。なお、試着画像表示処理の実行開始の契機となるユーザ操作（以下、試着要求）については、任意に設定することが可能である。試着要求の一例を挙げると、衣服の画像がディスプレイ２に表示されている期間中に購入予定者がディスプレイ２の前で手を所定の高さ（例えば、衣服の画像が表示されている高さ）まで上げる動作を採用してもよい。このような試着要求がユーザ撮影用カメラ３を通じて検知されると、これをトリガーとして本装置１が試着画像表示処理を実行する。
【００５３】
（ポイント付与機能）
本装置１は、画像表示処理にてディスプレイ２に表示された衣服の画像に対して、所定の付与ルールに則ってポイントを付与する。すなわち、本装置１は、「ポイント付与部」を構成している。
【００５４】
本装置１によるポイント付与のルールについて概説すると、本実施形態では、ポイントが付与される観点が２つある。一つ目の観点について説明すると、カタログＣ中の注目部分内で情報が提供された衣服について、購入予定者が当該衣服を見ている時間、換言すると、本装置１がカタログＣの中の同一のページを注目部分として特定し続ける時間を算出する。そして、その算出された時間が閾値以上であったとき、本装置１は、当該注目部分内で情報が提供された衣服に対して所定のポイント（例えば、５点）を付与する。
【００５５】
二つ目の観点について説明すると、試着画像表示処理において、カタログＣ中の注目部分内で情報が提供されている衣服を試着した場合の試着画像がディスプレイ２に表示されたとき、本装置１は、当該衣服に対して所定のポイント（例えば、１０点）を付与する。なお、上記の２つの観点の双方でポイントが付与された衣服については、本装置１は、それぞれの観点で付与されたポイントを合算し、その合算値を当該衣服に付与されたポイントとする。
【００５６】
（ポイント管理機能）
本装置１は、カタログＣにて情報が提供されている衣服の中のある衣服について、上述のポイント付与機能によりポイントが付与されると、その付与されたポイントを、当該ある衣服に対して関連付ける。より具体的に説明すると、ある衣服に対して付与されたポイントに関する情報が、ある衣服のポイントとして本装置１のハードディスクドライブ１ｃに記憶される。すなわち、本装置１のハードディスクドライブ１ｃは、「ポイント記憶部」を構成し、カタログＣにて情報が提供されている衣服毎に、付与されたポイントを記憶している。
【００５７】
なお、本装置１は、ある衣服に対してポイントを付与すると、それまでの時点で当該ある衣服に既に関連付けられているポイント（分かり易くは、それまでに付与されたポイントの総数）に対して、新たに付与したポイントを合計する。これにより、本装置１のハードディスクドライブ１ｃに記憶されている各衣服別のポイントのうち、ある衣服（新たにポイントが付与された衣服）のポイントが更新される。
【００５８】
また、本装置１は、購入予定者が所定のユーザ操作を行うと、これをトリガーとして、各衣服のポイントをハードディスクドライブ１ｃから読み出し、さらに図１０に図示のポイント一覧表をディスプレイ２に表示させる。図１０は、ポイント一覧表の一例を示す図である。同図に示すように、ポイント一覧表には、カタログＣに掲載された各衣服について、その直前時点までに付与されたポイントが記載されている。購入予定者は、ポイント一覧表を通じて、各衣服に対する自己の関心度を確認することが可能となる。
【００５９】
なお、購入予定者に各衣服に対する関心度を気付かせる方法は、上記の内容（具体手的には、ポイント一覧表を表示させること）に限定されず、他の方法を採用してもよい。例えば、ポイントに応じて各衣服をランク付けし、ランキング上位の衣服の画像をディスプレイ２に表示させることで、当該衣服に対する関心度を購入予定者に気付かせてもよい。また、ハードディスクドライブ１ｃに記憶されている各衣服の画像のうち、ランキング上位の衣服の画像を「お気に入り」の衣服の画像として登録し、その登録結果が反映されるように当該画像に対してタグ付けをしてもよい。
【００６０】
以上までに説明してきた機能が、本装置１に備わる特徴的な機能である。ちなみに、購入予定者が衣服を購入する際に利用する本装置１の機能の中に、上述した内容以外の機能が含まれていてもよい。例えば、購入予定者が購入対象として選んだ衣服についての購入処理及びこれに伴う決済処理を実行する機能が本装置１に更に備わっていてもよい。
【００６１】
＜＜本実施形態に係る画像表示装置の動作例＞＞
次に、本装置１の動作例として、カタログＣに情報が掲載されている衣服の画像を表示する処理（以下、画像表示フロー）について説明する。なお、画像表示フローでは、本発明の画像表示方法が採用されている。すなわち、本項では、本発明の画像表示方法に関する説明として画像表示フローの手順を説明することとする。換言すると、以下に説明する画像表示フロー中の各ステップは、本発明の画像表示方法の構成要素に相当する。
【００６２】
以下、図１１及び図１２を参照しながら画像表示フローの手順について説明する。図１１は、画像表示フローの一例を示す図である。図１２は、試着画像表示処理の流れを示す図である。
【００６３】
画像表示フローは、図１１に示すように、本装置１が購入予定者を検知し、ユーザ撮影用カメラ３及びカタログ撮影用カメラ４の各々による撮影を開始するところから始まる（Ｓ００１）。より具体的に説明すると、本装置１は、ユーザ撮影用カメラ３の画角内に購入予定者が居ることを検知すると、これをトリガーとしてユーザ撮影用カメラ３及びカタログ撮影用カメラ４を制御して各々のカメラに撮影を開始させる。
【００６４】
次に、本装置１は、カタログ撮影用カメラ４からの受信映像を解析し、カタログ撮影用カメラ４がカタログＣを撮影している否かを判定する（Ｓ００２）。カタログ撮影用カメラ４がカタログＣを撮影していると判定したとき、本装置１は、第一特定処理を実行する。かかる第一特定処理において、本装置１は、カタログ撮影用カメラ４からの受信映像に基づいて、カタログＣ中の開ページ（つまり、購入予定者によって開かれた状態にあるページ）を特定する（Ｓ００３）。さらに、本装置１は、第二特定処理を実行する。かかる第二特定処理において、本装置１は、ユーザ撮影用カメラ３からの受信映像に基づいて、購入予定者の視線の向きを特定する（Ｓ００４）。
【００６５】
その後、本装置１は、第一特定処理にて特定した開ページと、第二特定処理にて特定した視線の向きとに基づいて、カタログＣ中の注目部分（すなわち、購入予定者が見ているページ）を特定する（Ｓ００５）。このようにして注目部分を特定した後、本装置１は、図５に図示の対応画像テーブルを参照し、ハードディスクドライブ１ｃに記憶されている衣服の画像のうち、注目部分に該当するページと対応している画像を読み出す。そして、本装置１は、読み出した衣服の画像をディスプレイ２に表示させる（Ｓ００６）。これにより、カタログＣ中の注目部分内で情報が提供されている衣服について、実物大の画像がディスプレイ２に表示されるようになる。
【００６６】
また、ディスプレイ２に衣服の画像が表示されている間において購入予定者が試着要求に相当するユーザ操作を行うと、本装置１が、ユーザ撮影用カメラ３を通じて当該ユーザ操作を検知して上記の試着要求を受け付ける（Ｓ００７）。そして、本装置１は、試着要求を受け付けると、これをトリガーとして試着画像表示処理を実行する（Ｓ００８）。
【００６７】
試着画像表示処理の流れについて説明すると、当該処理は、図１２に図示の流れに沿って進行する。具体的に説明すると、試着画像表示処理では、先ず、本装置１が、その時点でディスプレイ２に表示されている衣服の画像及び購入予定者の人物画像をハードディスクドライブ１ｃから読み出す（Ｓ０２１）。この際、ディスプレイ２に画像が表示されている衣服についてサイズ別の画像が複数存在する場合（Ｓ０２２）、本装置１は、その中で最も適したサイズの画像を読み出す（Ｓ０２３）。具体的に説明すると、本装置１は、購入予定者の人物画像を解析して購入予定者の体形及び体格を特定する。その上で、本装置１は、サイズ別の衣服の画像の中から、特定した購入予定者の体形及び体格に最も適した（フィットする）サイズの衣服の画像を選び出す。
【００６８】
衣服の画像及び購入予定者の人物画像を読み出した後、本装置１は、両画像を合成することで試着画像を生成する（Ｓ０２４）。なお、画像合成により試着画像を生成する技術については、公知の画像処理技術が適用可能であり、その詳細については説明を省略することとする。
【００６９】
そして、本装置１は、生成された試着画像をディスプレイ２に表示させる（Ｓ０２５）。かかるステップＳ０２５が終了した時点で試着画像表示処理が完了する。
【００７０】
以上のような手順にて試着画像表示処理が実行されることで、その直前にディスプレイ２に画像が表示されていた衣服を試着した場合の試着画像がディスプレイ２に表示されるようになる（図９参照）。これにより、購入予定者は、カタログＣにて情報を見ている衣服（注目している衣服）を着用したイメージを確認することができる。この結果、購入予定者の、カタログＣに掲載された各衣服に対する理解度が一段と高まるようになる。
【００７１】
ところで、本装置１は、ディスプレイ２に衣服の画像が表示されている間、定期的にカタログＣの開ページや購入予定者の視線の向きを特定する。そして、特定した開ページ又は視線の向きがいずれか一方が変化したとき（Ｓ００９）、本装置１は、注目部分を特定するステップＳ００５と、注目部分内で情報が提供されている衣服の画像を表示させるステップＳ００６とを繰り返す。この結果、カタログＣ中の注目部分が変化したときに、これに連動する形でディスプレイ２での表示画像が切り替わるようになる。なお、表示画像が切り替わった後に購入予定者が試着要求を行った場合、本装置１は、試着画像表示処理を再度実行し、切り替わり後の画像が示す衣服を試着した場合の試着画像を生成して表示させる。
【００７２】
以上までの一連のステップ（厳密には、ステップＳ００５〜Ｓ００９）は、購入予定者がカタログＣを見終って所定の終了動作（画像表示フローを終了するための動作であり、例えばカタログＣを閉じる動作）を行うまで繰り返される。そして、本装置１がユーザ撮影用カメラ３又はカタログ撮影用カメラ４を通じて上記の終了動作を検知して当該終了動作を受け付けると（Ｓ０１０）、カタログＣに掲載された衣服のそれぞれに対して、上述のルールに従ってポイントを付与する（Ｓ０１１）。具体的には、購入予定者がカタログＣで規定時間以上見ていた衣服に対しては５点が付与され、試着画像表示処理が実行された衣服に対しては１０点が付与される。そして、本装置１は、新たに付与したポイントを対応する衣服に関連付けてハードディスクドライブ１ｃに記憶させる（Ｓ０１１）。
【００７３】
そして、付与ポイントがハードディスクドライブ１ｃに記憶された時点で画像表示フローが終了する。なお、各衣服別のポイントがハードディスクドライブ１ｃに記憶された後、ちなみに、本実施形態では、画像表示フローの終了直後若しくは終了時点から所定時間が経過した時点で、本装置１がハードディスクドライブ１ｃから各衣服のポイントを読み出し、図１０に図示のポイント一覧表をディスプレイ２に表示させることになっている。これにより、カタログＣに掲載された各衣服に対する購入予定者の関心度を、上記のポイントを通じて購入予定者本人に気付かせることが可能となる。
【００７４】
以上、画像表示フローの流れについて一例を挙げて説明したが、上記の流れに限定されるものではない。具体的に説明すると、図１１に図示した画像表示フローでは、試着対象の衣服の画像がディスプレイ２に衣服の画像が表示されている間に試着要求が行われ、これをトリガーとして試着画像表示処理が実行されることになっている。すなわち、図１１に図示の画像表示フローにおいて、複数の衣服の各々を試着した場合の試着画像をディスプレイ２に表示させるには、ディスプレイ２に表示させる衣服の画像を切り替えた上で試着要求を行い、その都度、試着画像表示処理を実行する形になる。
【００７５】
一方で、画像表示フローの流れ（特に、試着画像表示処理の実行タイミング）については、図１３に示す変形例が考えられる。図１３は、画像表示フローの変形例を示す図である。以下、図１３を参照しながら、変形例に係る画像表示フローについて説明する。
【００７６】
変形例に係る画像表示フローのうち、ユーザ撮影用カメラ３及びカタログ撮影用カメラ４の各々による撮影を開始してから、カタログＣ中の注目部分内で情報が提供されている衣服の画像をディスプレイ２に表示させるまでの各ステップについては、図１３に示すように、図１１に図示の画像表示フローと共通している（Ｓ０３１〜Ｓ３６）。
【００７７】
一方で、ディスプレイ２に衣服の画像が表示されている間、購入予定者が当該衣服に対して候補設定動作を行うと、かかる候補設定動作を本装置１がユーザ撮影用カメラ３を通じて検知する（Ｓ０３７）。候補設定動作とは、ディスプレイ２に画像が表示されている衣服を試着候補として設定するために行われる動作であり、例えば、ディスプレイ２において衣服像と共に表示された「候補設定ボタン」（不図示）の位置に手を合わせる動作である。
【００７８】
そして、本装置１は、上記の候補設定動作を受け付けると、その時点でディスプレイ２に表示されている衣服の画像を試着候補の画像として設定し、その設定結果を記憶する（Ｓ０３８）。具体的に説明すると、本装置１は、試着候補として設定された衣服の画像に対して、試着候補であることを示すフラグ情報を付加する。
【００７９】
また、本装置１は、ディスプレイ２に衣服の画像が表示されている間、定期的にカタログＣの開ページや購入予定者の視線の向きを特定する。そして、特定した開ページ又は視線の向きのいずれかが変化した場合（Ｓ０３９）、本装置１は、注目部分を特定するステップＳ０３５と、注目部分内で情報が提供されている衣服の画像を表示させるステップＳ０３６とを繰り返す。これにより、ディスプレイ２での表示画像が切り替わるようになる。さらに、切り替え後の表示画像に対して候補設定動作が行われると、本装置１は、上記と同様の手順にて、切り替え後の表示画像を試着候補の画像として設定し、その設定結果を記憶する。
【００８０】
以上までの一連のステップ（厳密には、ステップＳ０３５〜Ｓ０３９）は、購入予定者がカタログＣを見終るまで繰り返される。そして、カタログＣを見終えた時点で試着候補として設定された衣服が存在する場合、本装置１は、購入予定者による試着要求を受け付けることをトリガーとして試着画像表示処理を実行する（Ｓ０４０、Ｓ０４１）。試着画像表示処理では、試着候補として設定された衣服の画像と購入予定者の人物画像とを合成して試着画像を生成し、当該試着画像をディスプレイ２に表示させる。なお、試着画像表示処理の流れについては、既述の流れ（すなわち、図１２に図示の流れ）と同様である。
【００８１】
また、試着画像表示処理は、試着候補として設定された衣服の画像を切り替えて順次実行されることになっている。すなわち、未試着の候補である衣服の画像が残っている限り、試着画像表示処理が繰り返し実行される（Ｓ０４２）。
【００８２】
そして、試着候補のすべてについて試着画像表示処理が実行された時点、若しくは、購入予定者が所定の終了動作を実施して本装置１が当該終了動作を受け付けた時点で（Ｓ０４３）、本装置１が、カタログＣに掲載された衣服のそれぞれに対してポイントを付与する（Ｓ０４４）。その後、本装置１は、新たに付与したポイントを対応する衣服に関連付けてハードディスクドライブ１ｃに記憶させる（Ｓ０４４）。以上までのステップが完了すると、変形例に係る画像表示フローが終了する。
【００８３】
以上のように変形例に係る画像表示フローでは、試着候補とする衣服の画像を一時的に確保（ストック）しておき、試着候補の設定が完了した後で全候補分の試着画像表示処理を連続して実施する。このような手順により、購入予定者は、カタログＣに掲載された衣服のうち、試着候補とする衣服をすべて決めた上で試着画像の確認をまとめて行えるようになる。この結果、本装置１は、購入予定者にとっての使い勝手が良好なものとなる。
【００８４】
＜＜本実施形態に係る画像表示装置に追加可能な機能＞＞
以上までに本装置１の機能及び動作例について説明してきたが、本装置１については、更なる付加機能を追加することが可能である。以下では、本装置１に追加可能な機能（追加機能）について説明することとする。
【００８５】
（第一の追加機能）
上記の実施形態では、衣服の画像と購入予定者の人物画像とを合成することで試着画像を生成することとした。これに対して、本装置１が第一の追加機能を備えた場合には、背景画像を更に合成した試着画像を生成することが可能となる。つまり、第一の追加機能は、背景画像を更に加えた試着画像を生成してディスプレイ２に表示させる機能である。
【００８６】
より詳しく説明すると、第一の追加機能を備えた本装置１では、衣服の画像及び購入予定者の人物画像の他に、背景画像が本装置１のハードディスクドライブ１ｃに記憶されている。そして、第一の追加機能を備えた本装置１は、衣服の画像と購入予定者の人物画像と背景画像とを合成して試着画像を生成し、当該試着画像をディスプレイ２に表示させる。
【００８７】
以上のように背景画像が加わった試着画像がディスプレイ２に表示されることで、カタログＣに掲載されている各衣服について、その使用状況（シチュエーション）のイメージを確認することが可能となる。この結果、商品である衣服に対する理解度が一段と高まる。
【００８８】
なお、背景画像については、図１４に図示した景色のみの背景画像であってもよく、図１５に図示するように人物（例えば、購入予定者の家族）が映り込んでいる背景画像であってもよい。図１４及び１５は、背景画像の例を示す図である。なお、図中、白抜きにて示された部分は、背景画像中、衣服の画像と購入予定者の人物画像とを合成した画像が埋め込まれる領域に該当する。
【００８９】
（第二の追加機能）
カタログＣに掲載されている衣服の中には、例えば色違いの衣服や柄違いの衣服のように異なるバリエーションが複数用意されているものが存在する。一方で、本装置１が第二の追加機能を備えた場合には、複数のバリエーションが存在する衣服について、各バリエーションの画像を一つずつディスプレイ２に表示させることが可能である。また、第二の追加機能を備えた本装置１であれば、ディスプレイ２の表示画像をあるバリエーションの画像から別のバリエーションの画像に変更することが可能である。すなわち、第二の追加機能は、複数のバリエーションを有する衣服の画像について、各バリエーションの画像をディスプレイ２に表示させると共に、ディスプレイ２で画像が表示される衣服のバリエーションを変更する機能である。
【００９０】
以下、第二の追加機能について詳しく説明する。なお、以下では、複数のバリエーションを有する衣服の画像として、複数の色違いデザインを有する衣服（以下、衣服Ｘ）の画像をディスプレイ２に表示させるケースを例に挙げて説明することとする。ちなみに、衣服Ｘのデザイン色は、白色、青色、緑色、赤色の４種類であることとする。
【００９１】
第二の追加機能を備えた本装置１は、購入予定者が自分の身体を移動（厳密には、横移動）させた際に当該移動動作を検知する。すなわち、第二の追加機能を備えた本装置１は、「検知部」を構成しており、購入予定者の身体の移動動作を検知する。より詳しく説明すると、本装置１は、ユーザ撮影用カメラ３からの受信映像に基づき、購入予定者の身体が横移動したか否かを判定する。また、本装置１は、購入予定者の身体が横移動したと判定した際、その移動量（変位量）及び移動の向きを割り出す。
【００９２】
なお、購入予定者の身体の移動動作を検知する方法としては、ユーザ撮影用カメラ３からの撮影映像を解析して検知する方法の他にも挙げられ、購入予定者の身体に装着されたモーションキャプチャ等のセンサを用いて検知してもよい。あるいは、Ｋｉｎｅｃｔ（登録商標）等の動作検知デバイスをユーザ撮影用カメラ３とは別に設置し、かかるデバイスから取得されるデータ（例えば、深度データ）の変化から購入予定者の身体の移動動作を検知してもよい。
【００９３】
また、第二の追加機能を備えた本装置１では、衣服Ｘの画像として、４つの色違いデザインの画像がハードディスクドライブ１ｃに記憶されている。さらに、第二の追加機能を備えた本装置１は、４つの色違いデザインの画像のうちの一つを衣服Ｘの画像としてディスプレイ２に表示させると共に、４つの色違いデザインの画像の中から表示画像を変更する。すなわち、第二の追加機能を備えた本装置１は、「画像変更部」を構成している。
【００９４】
そして、第二の追加機能を備えた本装置１は、４つの色違いデザインの画像のうちの一つが衣服Ｘの画像としてディスプレイ２に表示されている間に購入予定者の身体の移動動作を検知すると、その検知結果に応じてディスプレイ２に表示される画像を変更する（厳密には切り替える）。かかる内容について、以下、図１６の（Ａ）〜（Ｄ）を参照しながら具体的に説明する。図１６の（Ａ）〜（Ｄ）は、ディスプレイ２に表示される衣服Ｘの画像が購入予定者の身体の移動動作に伴って変化する例を示す図である。
【００９５】
第二の追加機能を備えた本装置１は、４つの色違いデザインの画像のうちの一つを衣服Ｘの画像としてディスプレイ２に表示する際、購入予定者の身体の位置に応じた色の画像を表示する。
【００９６】
具体的に説明すると、購入予定者が所定位置（例えば、ディスプレイ２の幅方向における中央位置）に居る間、本装置１は、図１６の（Ａ）に示すように白色の衣服Ｘの画像をディスプレイ２に表示させる。かかる状態から購入予定者の身体が左向きに移動すると、本装置１が当該移動動作を検知し、これに伴う形で、ディスプレイ２に表示させる衣服Ｘの画像を変更する。厳密に説明すると、本装置１は、購入予定者の身体が左向きに所定距離だけ移動したことを検知すると、図１６の（Ｂ）に示すように、ディスプレイ２に表示させる衣服Ｘの画像を白色の画像から青色の画像に変更する。また、購入予定者の身体が移動後の位置から元の位置に戻ると、本装置１は、かかる移動動作を検知し、これに伴う形で、ディスプレイ２に表示させる衣服Ｘの画像を青色の画像から白色の画像に変更する。
【００９７】
また、同様に、白色の衣服Ｘの画像がディスプレイ２に表示されている間に購入予定者の身体が右向きに所定距離だけ移動すると、本装置１が当該移動動作を検知する。これに伴う形で、本装置１は、図１６の（Ｃ）に示すように、ディスプレイ２に表示させる衣服Ｘの画像を白色の画像から緑色の画像に変更する。また、購入予定者の身体が移動後の位置から元の位置に戻ると、本装置１は、かかる移動動作を検知し、これに伴う形で、ディスプレイ２に表示させる衣服Ｘの画像を緑色の画像から白色の画像に変更する。
【００９８】
また、本装置１は、購入予定者の身体の移動動作を検知した回数を逐次カウントしている。そして、購入予定者の身体が左向きに所定距離だけ移動した動作をＮ回（Ｎは２以上の自然数）検知した場合、本装置１は、図１６の（Ｄ）に示すように、青色の衣服Ｘの画像の代わりに赤色の衣服Ｘの画像をディスプレイ２に表示させる。つまり、本装置１は、購入予定者の身体が左向きに所定距離だけ移動する動作をＮ回検知すると、これを契機にして、購入予定者の身体が左向きに移動したときに表示させる衣服Ｘの画像を青色の画像から赤色の画像へ入れ替える。
【００９９】
以上のように第二の追加機能を備えた本装置１であれば、衣服Ｘの画像について複数のバリエーション（色違いデザイン）がある場合に、購入予定者の身体の移動動作に合わせる形で、ディスプレイ２に表示される衣服Ｘの画像のバリエーションを変更する。この結果、複数のバリエーションを有する衣服Ｘの画像について、各バリエーション（各デザイン色）の画像を容易に確認することが可能となる。
【０１００】
なお、購入予定者の身体の移動動作に合わせて画像を変更する際のルールについては、特に限定されるものではなく、上述したルールの他にも考えられる。例えば、購入予定者の身体が左向きに移動する度に、ディスプレイ２に表示される衣服Ｘのデザイン色が白色、青色、緑色、赤色の順で変化し、購入予定者の身体が右向きに移動する度に、ディスプレイ２に表示される衣服Ｘのデザイン色が白色、赤色、緑色、青色の順で変化してもよい。
【０１０１】
また、上記の例では、購入予定者の身体が左向き（または右向き）に所定距離だけ移動した時点で、ディスプレイ２に表示される衣服Ｘの画像のバリエーションが切り替わる（つまり、瞬間的に変化する）こととしたが、これに限定されるものではない。例えば、図１７の（Ａ）〜（Ｃ）に示すように、ディスプレイ２に表示される衣服Ｘの画像のバリエーションが、購入予定者の身体の移動量に応じて漸次的に変化してもよい。かかる構成であれば、購入予定者の身体移動と画像変化との間の連動性が向上し、視野内の対象物が身体移動に伴って変化するという感覚（いわゆる覗き込み感）を購入予定者に与えることが可能となる。図１７の（Ａ）〜（Ｃ）は、ディスプレイ２に表示される衣服Ｘの画像が購入予定者の身体の移動動作に伴って変化する他の例を示す図である。
【０１０２】
（第三の追加機能）
上記の実施形態では、ディスプレイ２に表示された衣服の画像（すなわち、カタログＣ中の注目部分内で情報が提供されている衣服の画像）と人物画像とを合成することで試着画像を生成することとした。一方、第三の追加機能を備えた本装置１によれば、ディスプレイ２に表示された衣服の画像のみならず、当該衣服と組み合わせて用いられる衣服の画像を自動的に選び出し当該衣服を含めた形で試着画像を生成する。すなわち、第三の追加機能は、ディスプレイ２に表示された衣服の画像と、当該衣服と組み合わせて用いられる衣服の画像と、購入予定者の人物画像とを合成することで試着画像を生成する機能である。
【０１０３】
以下、第三の追加機能について図１８を参照しながら詳しく説明する。図１８は、第三の追加機能を備えた本装置１が試着画像を生成する手順の説明図である。なお、以下では、ディスプレイ２に表示される衣服の画像が上着の画像（図１８中、記号Ｖａにて示す）であり、当該上着と組み合わせて用いられる衣服の画像がズボンの画像Ｖｂ（図１８中、記号Ｖｂにて示す）であることとし、これらの画像に基づいて試着画像を生成するケースを例に挙げて説明することとする。なお、ディスプレイ２に画像が表示される上着は、カタログＣに情報が掲載された商品（第一商品）に相当し、より厳密には第一衣服に相当する。また、上記の上着と組み合わせて用いられるズボンは、第二商品に相当し、より厳密には第二衣服に相当する。
【０１０４】
第三の追加機能を備えた本装置１では、カタログＣに掲載された上着の画像Ｖａと共に、ズボンの画像Ｖｂが本装置１のハードディスクドライブ１ｃに記憶されている。第三の追加機能を備えた本装置１は、前述したように、カタログＣ中の注目部分を特定する。そして、特定した注目部分内で情報が提供されている衣服が上着である場合、本装置１は、当該上着の画像Ｖａをディスプレイ２に表示させる。
【０１０５】
そして、第三の追加機能を備えた本装置１は、上着の画像Ｖａがディスプレイ２に表示されている間に試着要求を受け付けると（あるいは、ディスプレイ２に画像が表示された上着を試着候補として設定した上で試着要求を受け付けると）、試着画像表示処理を実行する。この試着画像表示処理において、本装置１は、ディスプレイ２に表示された上着の画像Ｖａと、購入予定者の人物画像と、をそれぞれハードディスクドライブ１ｃから読み出す。また、本装置１は、当該上着と対応するズボンの画像Ｖｂをハードディスクドライブ１ｃから自動的に選び出し、当該画像Ｖｂを更に読み出す。その上で、本装置１は、図１８に示すように、読み出した画像を合成することで試着画像を生成し、生成した試着画像をディスプレイ２に表示させる。
【０１０６】
ここで、上着の画像と対応するズボンの画像とは、カタログＣ中の注目部分において当該上着と共に情報が提供されたズボンの画像である。分かり易くは、注目部分に相当するページに写っている人物（具体的にはファッションモデル）が当該上着と共に着用しているズボンの画像が該当する。ただし、これに限定されるものではなく、購入予定者が本装置１を通じて過去に購入したズボンの画像を、上着の画像と対応するズボンの画像としてもよい。
【０１０７】
第三の追加機能を備えた本装置１が生成した試着画像について説明すると、試着画像は、図１８に示すように、ディスプレイ２に画像が表示された上着と、当該上着と対応するズボンと、を着用した状態の購入予定者を示す画像である。したがって、購入予定者は、試着画像がディスプレイ２に表示されることで、カタログＣ中の注目部分で情報が提供されている上着、及び当該上着と対応するズボンの双方を着用したイメージを確認することができる。この結果、カタログＣに掲載された上着に対する理解度が高まることになる。
【０１０８】
また、上記の試着画像がディスプレイ２に表示されるということは、当然ながら、カタログＣの注目部分で情報が提供されている上着の画像Ｖａと、当該上着と対応するズボンの画像Ｖｂとが併せて表示されることになる。これにより、購入予定者は、カタログＣで見た上着の画像Ｖａを、ズボンの画像Ｖｂと組み合わせた形で確認することができる。この結果、購入予定者にとって本装置１の利便性が向上する。
【０１０９】
（第四の追加機能）
上記の実施形態では、カタログＣ中の注目部分を特定した上で、注目部分内で情報が提供されている商品（衣服）の画像、すなわち、購入予定者が現時点で注視している衣服の画像をディスプレイ２に表示することとした。一方、第四の追加機能を備えた本装置１では、購入予定者が現時点で注視している衣服の画像を表示させる他に、カタログＣに掲載された衣服の中からお勧めの衣服を表示させることが可能である。すなわち、第四の追加機能は、購入予定者が現時点で注目している衣服の画像を表示させるモード（以下、通常モード）、及びカタログＣに掲載された衣服の中からお勧めの衣服を表示させるモード（以下、提案モード）の中からいずれか一方のモードを選んで実施する機能である。
【０１１０】
提案モードについて説明すると、提案モードが選択された場合、購入予定者がカタログＣを開いてから閉じるまでの期間中、本装置１が衣服の画像をディスプレイ２に表示させることはない。他方、本装置１は、購入予定者がカタログＣを開いてから閉じるまでの期間中、逐次、第一特定処理及び第二特定処理を繰り返し実行してカタログＣの開ページと購入予定者の視線の向きとを随時特定し、これらの特定結果からカタログＣ中の各ページの注目時間（購入予定者が注目していた時間）を割り出す。また、本装置１は、各ページに掲載された衣服に対して、各ページ別に割り出した注目時間に応じてポイントを付与する。その後、本装置１は、各ページに掲載された衣服に対して上記のポイントに応じた順位を設定した上で、上位Ｍ番目（Ｍは１以上の自然数）までの衣服の画像をお勧めの衣服の画像としてディスプレイ２に表示させる。
【０１１１】
以上のように第四の追加機能を備えた本装置１は、提案モードを選択して実施することで、カタログＣに掲載された衣服の画像のうち、注目時間が長い衣服の画像をお勧めの衣服の画像として購入予定者に提示する。これにより、購入予定者は、興味を持つ衣服（関心度が高い衣服）の画像をディスプレイ２にて確認し得るようになる。この結果、本装置１が購入予定者にとって利便性の高いものとなる。
【０１１２】
なお、提案モードにおいても試着画像の生成及び表示が可能である。すなわち、第四の追加機能を備えた本装置１は、上記の要領でお勧めの衣服の画像をディスプレイ２に表示させている間に試着要求を受け付けると、当該お勧めの衣服の画像と購入予定者の人物画像とを合成して試着画像を生成し、生成した試着画像をディスプレイ２に表示させる。
【０１１３】
＜＜その他の実施形態＞＞
以上までに説明してきた実施形態は、本発明の一例に過ぎず、他の例も考えられる。例えば、上記の実施形態では、一台のコンピュータによって本発明の画像表示装置が構成されるケースを例に挙げて説明した。すなわち、上記の実施形態では、本発明の画像表示装置が有する機能が一台のコンピュータによって実現されていることとした。ただし、これに限定されるものではなく、複数台のコンピュータによって本発明の画像表示装置を構成してもよい。そして、本発明の画像表示装置が有する各機能を複数台のコンピュータに分担し、各コンピュータが分担された機能のみを実現する構成であってもよい。
【０１１４】
また、上記の実施形態では、商品情報提供物の一例として冊子状のカタログＣを挙げて説明したが、これに限定されるものではない。つまり、カタログＣ以外の媒体、例えばチラシやパンフレット、テレビやＰＣ、商品情報を表示可能なスマートフォンやタブレット型端末を商品情報提供媒体として利用する場合にも本発明は適用可能である。
【０１１５】
また、上記の実施形態では、試着画像をディスプレイ２に表示する際、購入予定者（すなわち、カタログＣを見ているユーザ）の人物画像と衣服の画像とを合成することで生成された試着画像を表示することとした。ただし、これに限定されるものではなく、購入予定者以外の者（例えば、購入予定者の家族や知人）の人物画像と衣服の画像とを合成することで生成される試着画像をディスプレイ２に表示させてもよい。
【符号の説明】
【０１１６】
１  本装置（画像表示装置）
１ａ  ＣＰＵ
１ｂ  メモリ
１ｃ  ハードディスクドライブ
１ｄ  Ｉ／Ｏポート
２  ディスプレイ（表示画面）
３  ユーザ撮影用カメラ
４  カタログ撮影用カメラ
Ｃ  カタログ（商品情報提供物）
Ｓ  画像表示システム
【図１】
2017174304.tif 000003
【図２】
2017174304.tif 000004
【図３】
2017174304.tif 000005
【図４】
2017174304.tif 000006
【図５】
2017174304.tif 000007
【図６Ａ】
2017174304.tif 000008
【図６Ｂ】
2017174304.tif 000009
【図７】
2017174304.tif 000010
【図８】
2017174304.tif 000011
【図９】
2017174304.tif 000012
【図１０】
2017174304.tif 000013
【図１１】
2017174304.tif 000014
【図１２】
2017174304.tif 000015
【図１３】
2017174304.tif 000016
【図１４】
2017174304.tif 000017
【図１５】
2017174304.tif 000018
【図１６】
2017174304.tif 000019
【図１７】
2017174304.tif 000020
【図１８】
2017174304.tif 000021